(57)【要約】【課題】  許可者以外による管理対象区域への出退を制限する出退制限システムにおいて、システムのセキュリティを維持しつつ、システムの製造コストを削減する。【解決手段】  出退制限システム１においては、赤外線センサ４３が監視区域内に人がいることを検知しているときに、電波送受信部３１が管理対象者が所持する認証カード１０から応答信号を受信できない場合には、不正侵入であることを検知し、この検知結果を出力する処理部２５と、を備え、認証カード１０は、予め設定された作動時刻までの時間を計時するタイマ１１ａと、作動時刻になると、管理対象区域への出退を許可するか否かの設定を切り替える短絡部１５と、短絡部１５により出退を許可するよう設定されているときに、電波送受信部３１より送信された呼出信号を受信した場合には、無線により応答信号を送信する共振部１６と、を有する構成にされている。【選択図】  図２
2006244226.tif 000002
【特許請求の範囲】
【請求項１】
複数の管理対象者が所持する認証媒体を介して、許可者以外による管理対象区域への出退を制限する出退制限システムであって、
前記管理対象区域の出入口に位置し監視区域内に人がいるか否かを検知する人物検知手段と、
前記監視区域内に配置され、前記管理対象者が所持する認証媒体を呼び出すための呼出信号を無線により送信し、この信号に対する応答信号を前記認証媒体から受信する送受信手段と、
前記人物検知手段が監視区域内に人がいることを検知しているときに、前記送受信手段が前記認証媒体から前記応答信号を受信できない場合には、不正侵入であることを検知し、この検知結果を出力する検知結果出力手段と、
を備え、
前記認証媒体は、
予め設定された作動時刻までの時間を計時する計時手段と、
前記作動時刻になると、前記管理対象区域への出退を許可するか否かの設定を切り替える出退許可切替手段と、
前記出退許可切替手段により出退を許可するよう設定されているときに、前記送受信手段より送信された呼出信号を受信した場合には、無線により前記応答信号を送信する応答信号送信手段と、
を有することを特徴とする出退制限システム。
【請求項２】
前記監視区域外に配置され、前記作動時刻を外部入力するための時刻入力手段と、
前記時刻入力手段により入力された作動時刻を前記認証媒体に送信する時刻送信手段と、
を備え、
前記認証媒体は、
前記作動時刻を記憶する時刻記憶手段と、
前記時刻送信手段から送信された作動時刻を受信し、該作動時刻を前記時刻記憶手段に記憶させる記憶制御手段と、
を有することを特徴とする請求項１に記載の出退制限システム。
【請求項３】
前記応答信号送信手段は、特定周波数の電波を受信すると共振してこの反射波を送信する共振手段からなり、
前記送受信手段は、前記呼出信号として前記特定周波数の電波を送信すると共に、前記共振手段から送信される反射波を前記応答信号として前記認証媒体から受信し、
前記出退許可切替手段は、前記管理対象区域への出退を許可しないように設定するときに、前記共振手段が前記特定周波数で共振できないようにすること、
を特徴とする請求項１または請求項２に記載の出退制限システム。
【請求項４】
請求項１〜請求項３の何れかに記載の出退制限システムにおいて、管理対象区域への出退を行うために複数の管理対象者が所持する認証媒体であって、
前記認証媒体は、
予め設定された作動時刻までの時間を計時する計時手段と、
前記作動時刻になると、前記管理対象区域への出退を許可するか否かの設定を切り替える出退許可切替手段と、
前記出退許可切替手段により出退を許可するよう設定されているときに、外部から無線により当該認証媒体を呼び出す呼出信号を受信した場合には、無線により前記呼出信号に対する応答信号を送信する応答信号送信手段と、
を有することを特徴とする認証媒体。
【発明の詳細な説明】
【技術分野】
【０００１】
本発明は、許可者以外による管理対象区域への出退を制限する出退制限システム、およびこのシステムにおいて使用される認証媒体に関する。
【背景技術】
【０００２】
従来より、この種の出退制限システムとして、入場許可者を特定するための識別情報が記憶されたＩＣカードを各管理対象者に所持させ、このＩＣカードを用いて管理対象区域への出退を制限するシステムが知られている。
【０００３】
すなわち、このシステムにおいて管理対象区域の出入口のゲートには、ＩＣカードと無線通信可能な通信装置が配置されている。そして、この通信装置は、管理対象者が所持するＩＣカードと通信を行うことにより、ＩＣカードに記憶された識別情報を取得し、この識別情報が予め記憶された（許可された）ものであれば、当該ＩＣカードを所持する管理対象者が管理対象区域へ入ることを認めるよう構成されている（例えば、特許文献１参照）。
【特許文献１】特許第２８７７５９４号公報
【発明の開示】
【発明が解決しようとする課題】
【０００４】
しかしながら、上記出退制限システムでは、通信装置がＩＣカードに記憶された識別情報を取得し、認証を行なう必要があるため、通信装置の構成が複雑となり、システムが高価になるという問題点があった。
【０００５】
そこで、このような問題点を鑑み、許可者以外による管理対象区域への出退を制限する出退制限システムにおいて、システムのセキュリティを維持しつつ、システムの製造コストを削減することを本発明の目的とする。
【課題を解決するための手段】
【０００６】
かかる目的を達成するために成された請求項１に記載の発明は、複数の管理対象者が所持する認証媒体を介して、許可者以外による管理対象区域への出退を制限する出退制限システムであって、前記管理対象区域の出入口に位置し監視区域内に人がいるか否かを検知する人物検知手段と、前記監視区域内に配置され、前記管理対象者が所持する認証媒体を呼び出すための呼出信号を無線により送信し、この信号に対する応答信号を前記認証媒体から受信する送受信手段と、前記人物検知手段が監視区域内に人がいることを検知しているときに、前記送受信手段が前記認証媒体から前記応答信号を受信できない場合には、不正侵入であることを検知し、この検知結果を出力する検知結果出力手段と、を備え、前記認証媒体は、予め設定された作動時刻までの時間を計時する計時手段と、前記作動時刻になると、前記管理対象区域への出退を許可するか否かの設定を切り替える出退許可切替手段と、前記出退許可切替手段により出退を許可するよう設定されているときに、前記送受信手段より送信された呼出信号を受信した場合には、無線により前記応答信号を送信する応答信号送信手段と、を有することを特徴としている。
【０００７】
つまり、検知結果出力手段は、監視区域内に人がいるときに認証媒体からの応答信号を受信するか否かのみを判定し、この応答信号を送信するか否かは認証媒体側にて作動時刻までの時間を計時することにより管理するよう構成されている。
【０００８】
従って、このような出退制限システムによれば、システム全体としては個人の認証までは行なわないので、システムの構成を簡素化することができる。また、時間により応答信号を送信するか否かを決定するので、セキュリティレベルを維持することができる。
【０００９】
なお、本発明において、特定の指令とは、認証媒体の外部からの指令であってもよいし、認証媒体の内部で発生する指令でもよい。
また、出退許可切替手段の具体的な構成としては、コンデンサが放電するまでの時間を充電量に基づいて設定し、このコンデンサが放電したときに設定を切り替える構成や、ＩＣチップを内蔵しておき、外部からこのＩＣチップに対して特定の指令が入力された場合に、ＩＣチップが設定を切り替える構成等が考えられる。
【００１０】
次に、請求項１に記載の出退制限システムにおいて、監視区域外に配置され、作動時刻を外部入力するための時刻入力手段と、時刻入力手段により入力された作動時刻を認証媒体に送信する時刻送信手段とを備えている場合には、請求項２に記載のように、認証媒体は、作動時刻を記憶する時刻記憶手段と、時刻送信手段から送信された作動時刻を受信し、作動時刻を時刻記憶手段に記憶させる記憶制御手段と、を有することが望ましい。
【００１１】
このような出退制限システムによれば、出退を許可しない設定になっているときに管理対象区域に入退場したいときや、出退許可切替手段が作動する作動時刻を変更したい場合に、時刻入力手段を用いて、これらの設定を容易に変更することができるので、システムの利便性を向上させることができる。
【００１２】
さらに、請求項１または請求項２に記載の出退制限システムにおいて、応答信号送信手段は、例えば、ＩＣチップに内蔵されたマイクロコンピュータや電子回路を用いて固有の応答信号を生成し、この応答信号を送信するよう構成してもよいが、請求項３に記載のように構成することが好ましい。即ち、応答信号送信手段は、特定周波数の電波を受信すると共振してこの反射波を送信する共振手段からなり、送受信手段は、呼出信号として特定周波数の電波を送信すると共に、共振手段から送信される反射波を応答信号として認証媒体から受信し、出退許可切替手段は、管理対象区域への出退を許可しないように設定するときに、共振手段が特定周波数で共振できないようにすればよい。
【００１３】
従って、このような出退制限システムによれば、応答信号送信手段を共振手段のみから構成することができるので、この応答信号送信手段を構成するための部品点数を大幅に削減することができる。このため、認証媒体を安価で製造することができる。
【００１４】
次に、請求項４に記載の発明は、請求項１〜請求項３の何れかに記載の出退制限システムにおいて、管理対象区域への出退を行うために複数の管理対象者が所持する認証媒体であって、前記認証媒体は、予め設定された作動時刻までの時間を計時する計時手段と、前記作動時刻になると、前記管理対象区域への出退を許可するか否かの設定を切り替える出退許可切替手段と、前記出退許可切替手段により出退を許可するよう設定されているときに、外部から無線により当該認証媒体を呼び出す呼出信号を受信した場合には、無線により前記呼出信号に対する応答信号を送信する応答信号送信手段と、を有することを特徴としている。
【００１５】
従って、このような認証媒体を用いれば、この出退制限システム全体としては個人の認証までは行なわないので、システムの構成を簡素化することができる。また、時間により応答信号を送信するか否かを決定するので、セキュリティレベルを維持することができる。
【発明を実施するための最良の形態】
【００１６】
以下に本発明にかかる実施の形態を図面と共に説明する。
まず、本発明が適用された出退制限システム１について、図１および図２を用いて説明する。図１は出退制限システム１の配置を示す説明図、図２は出退制限システム１を示すブロック図である。
【００１７】
出退制限システム１は、例えば病院や学校等の施設の出入口や、これらの施設内における特定の区域の出入口となる通路等に配置されており、許可された者以外がこの通路を通過し、管理対象区域に侵入することを制限するシステムである。
【００１８】
即ち、図１および図２に示すように、出退制限システム１は、通路の両脇に配置された一対のゲート装置３０と、通路脇の壁面部に配置され各ゲート装置３０の間を通過する人物を撮像するカメラ４１と、各ゲート装置３０の間を通過する人物を検知する赤外線センサ４３（本発明でいう人物検知手段）と、通路脇に配置された入力装置２０とを備えている。
【００１９】
また、この出退制限システム１には、管理対象者（この施設に出入りするために各ゲート装置３０の間を通過する人物）が所持する認証カード１０（本発明でいう認証媒体）も含まれている。
【００２０】
認証カード１０は、例えば、管理対象者が自身の身分を証明するために、首から提げるなどして常に管理対象者が携帯して使用するものであって、図２（ａ）に示すように、制御部１１（本発明でいう記憶制御手段）と、記憶部１２（本発明でいう時刻記憶手段）と、電源部１３と、ソーラーパネル１３ａと、短絡部１５（本発明でいう出退許可切替手段）と、共振部１６（本発明でいう応答信号送信手段および共振手段）と、通信部１７とを備えている。
【００２１】
電源部１３は、この認証カード１０全体（主に制御部１１）に電力を供給する蓄電池として構成されている。なお、この電源部１３は、光のエネルギを電力に変換するソーラーパネル１３ａ（光電変換手段）により随時充電されるよう構成されている。
【００２２】
制御部１１は、記憶部１２と共に、公知のマイクロコンピュータとして構成されており、電源部１３から供給される電力を受けて作動する。
そして、この制御部１１には、現在時刻を計時するタイマ１１ａ（本発明でいう計時手段）が内蔵されており、このタイマ１１ａにより計時される現在時刻と、記憶部１２に記憶された短絡部１５の作動時刻（「許可開始時刻」および「許可終了時刻」）とに基づいて、後述する出退許可切替処理を実行する。
【００２３】
つまり、記憶部１２は、書き換え可能なメモリとして構成されており、制御部１１を作動するためのプログラムや、後述する短絡部１５の作動時刻等の情報が記憶されている。
なお、記憶部１２に記憶されている作動時刻の情報とは、「許可開始時刻」および「許可終了時刻」の情報であり、記憶部１２は、「許可開始時刻」および「許可終了時刻」を日付および時刻の情報として、例えば、最大４日分だけ記憶可能に構成されている。
【００２４】
また、この記憶部１２には、この認証カード１０を特定するための識別情報（カードＩＤ）も記憶されている。
共振部１６は、例えば、コイルアンテナとコンデンサとから構成されており、ゲート装置３０の電波送受信部３１（本発明でいう送受信手段）から送信される特定の周波数の電波を受信すると、共振部１６がこの電波を共振し、この電波の反射波を送信するよう設定されている。なお、反射波を送信する共振周波数は、これらのコインアンテナおよびコンデンサ等、共振部１６を構成する構成部品のバランス（長さ、幅、素材、電荷量等）により決定される。
【００２５】
短絡部１５は、例えば、トランジスタやリレー等のスイッチとして構成されており、このスイッチをＯＮ状態（短絡した状態）にすることにより、共振部１６の一部分（コイルアンテナ）を基準電位に落とすよう構成されている。つまり、短絡部１５は、ＯＮ状態であるときに、共振部１６の共振周波数を変化させ、共振部１６を機能しないようにし、ＯＦＦ状態（開放した状態）であるときに、共振部１６が所定の周波数で共振するよう構成されている。
【００２６】
通信部１７は、入力装置２０のカード読書部２３（本発明でいう時刻送信手段）とデータ通信を行う。この通信部１７を介して入力装置２０からデータ（特に短絡部１５の作動時刻の情報）を受信すると、制御部１１は、その受信したデータを記憶部１２に記憶する。
【００２７】
次に、ゲート装置３０は、図１および図２（ｂ）に示すように、所定周波数の電波を送受信する電波送受信部３１と、異常を報知するための警報ランプ３３およびスピーカ３５とを備えている。
【００２８】
電波送受信部３１は所定周波数の電波を送信し、その反射波を受信するよう構成されている。なお、この電波送受信部３１は、赤外線センサ４３が人物から発せられる赤外線を検知可能な領域（監視区域）よりもやや広い領域において、電波の送受信を行うことができるよう構成されている。
【００２９】
警報ランプ３３およびスピーカ３５は、処理部２５の指令を受けて作動し、処理部２５からの駆動指令を受けると、例えば、警報ランプ３３は赤色に点滅し、スピーカ３５は警報音を発する。
【００３０】
次に、入力装置２０は、主に図２に示すように、タッチパネル式ディスプレイ２１（本発明でいう時刻入力手段）と、カード読書部２３と、処理部２５（本発明でいう検知結果出力手段）と、通信部２７と、を備えている。また、この入力装置２０には、カメラ４１と、赤外線センサ４３と、ゲート装置３０とが接続されている。
【００３１】
処理部２５は、公知のマイクロコンピュータとして構成されており、接続された各部の制御を行う。
通信部２７は、インターネット網５１を介して接続された総合管理装置５３と通信を行うために使用される。
【００３２】
ここで、総合管理装置５３には、各管理対象者が管理対象区域に入退場する予定時刻の一覧が記憶されている。この予定時刻の一覧とは、例えば、管理対象区域にて勤務する管理対象者の出勤日および勤務時間帯の情報が該当する。
【００３３】
カード読書部２３は、認証カード１０を保持可能に構成されており、カード読書部２３が認証カード１０を保持している際に、認証カード１０の通信部１７と通信を行うことにより、認証カード１０の記憶部１２に記憶された情報（特に短絡部１５の作動時刻の情報）を読み書き可能に構成されている。
【００３４】
タッチパネル式ディスプレイ２１は、処理部２５からの指令に基づいて、カード読書部２３より受信した情報や、通信部２７を介して総合管理装置５３から受信した情報を表示する。
【００３５】
また、このタッチパネル式ディスプレイ２１は、管理対象者等の使用者が処理部２５に対して指令を入力するために用いられ、処理部２５は、この指令に基づいて、例えば、カード読書部２３に保持された認証カード１０にデータを送信する。
【００３６】
赤外線センサ４３は、各ゲート装置３０の間の領域において、この領域に侵入した人物から発せられる赤外線を検知し、この検知結果を処理部２５に送信する。
次に、認証カード１０において、予め記憶部１２に記憶された「許可開始時刻」および「許可終了時刻」に基づいて、電波送受信部３１より送信される特定周波数の電波を反射可能にするか否かの設定を行う処理について、図３を用いて説明する。なお、図３は認証カード１０の制御部１１が行う出退許可切替処理を示すフローチャートである。
【００３７】
この出退許可切替処理は、例えば、タイマ１１ａから時刻を更新する旨の信号を受信する度（例えば１秒毎）に実行され、まず、Ｓ１１０にてタイマ１１ａが計時する現在時刻が記憶部１２に記憶された許可開始時刻と一致するか否かを判定する。現在時刻が許可開始時刻と一致する場合にはＳ１２０に移行し、一致しない場合にはＳ１３０に移行する。
【００３８】
Ｓ１２０では、短絡部１５を開放状態とし、Ｓ１３０に移行する。つまり、Ｓ１２０の処理において、制御部１１は、短絡部１５を開放状態とすることにより、共振部１６が所定の共振周波数にて共振し、その反射波を送信できる状態に設定する。
【００３９】
Ｓ１３０では、タイマ１１ａが計時する現在時刻が記憶部１２に記憶された許可終了時刻と一致するか否かを判定する。現在時刻が許可終了時刻と一致する場合にはＳ１４０に移行し、一致しない場合には出退許可切替処理を終了する。
【００４０】
また、Ｓ１４０では、短絡部１５を短絡状態とする。つまり、Ｓ１４０の処理において、制御部１１は、短絡部１５を短絡（閉鎖）状態とすることにより、共振部１６が電波送受信部３１から送信される所定の周波数では共振しないよう設定している。この結果、短絡部１５が短絡状態となっているときには、共振部１６から反射波（応答信号）が送信されることはない。
【００４１】
上記のように、Ｓ１４０の処理を終了すると、出退許可切替処理を終了する。
次に、出退制限システム１を用いて、許可された管理対象者以外の入退場を検知する動作について図４を用いて説明する。なお、図４は入力装置２０の処理部２５が実行する検知処理を示すフローチャートである。
【００４２】
この検知処理は、入力装置２０の電源が投入されると随時、繰り返し実行される処理であって、まず、Ｓ２１０にて、赤外線センサ４３が人物を検知したか否かを判定する。赤外線センサ４３が人物を検知していればＳ２２０に移行し、赤外線センサ４３が人物を検知していなければ検知処理を終了する。
【００４３】
Ｓ２２０では、電波送受信部３１が共振部１６（認証カード１０）を検知したか否かを判定する。電波送受信部３１が共振部１６を検知していれば検知処理を終了し、赤外線センサ４３が人物を検知していなければＳ２３０に移行する。
【００４４】
そして、Ｓ２３０では、スピーカ３５を鳴動させると共に、警報ランプ３３を点灯させ、異常（つまり許可された管理対象者以外の人物がゲート装置３０を通過しようとしていること）を報知する。
【００４５】
次いで、Ｓ２４０に移行し、Ｓ２４０では、スピーカ３５が鳴動を開始してから５秒が経過したか否かを判定する。スピーカ３５が鳴動を開始してから５秒以上経過していればＳ２５０に移行し、５秒以内であれば、Ｓ２２０に戻る。
【００４６】
そして、Ｓ２５０では、カメラ４１が撮像していた画像データを、通信部２７を介して総合管理装置５３へ送信する。つまり、Ｓ２５０では、許可された管理対象者以外の人物が侵入しようとしているものとして、この人物を撮像した画像を総合管理装置５３へ送信する。具体的には、スピーカ３５の鳴動前後５秒ずつ（合計１０秒間）の画像（動画または１秒毎の静止画）を送信する。
【００４７】
そして、Ｓ２６０に移行し、Ｓ２６０では、スピーカ３５が鳴動を開始してから１５秒が経過したか否かを判定する。スピーカ３５が鳴動を開始してから１５秒を経過している場合には、検知処理を終了し、スピーカ３５が鳴動を開始してから１５秒を経過していない場合には、Ｓ２７０に移行する。
【００４８】
Ｓ２７０では、Ｓ２２０の処理と同様に、電波送受信部３１が共振部１６を検知したか否かを判定する。電波送受信部３１が共振部１６を検知していれば検知処理を終了し、赤外線センサ４３が人物を検知していなければＳ２８０に移行する。
【００４９】
そして、Ｓ２８０では、スピーカ３５の鳴動、および警報ランプ３３の点灯を継続し、Ｓ２６０に戻る。
このようにして検知処理は実行される。
【００５０】
ところで、認証カード１０の記憶部１２に記憶された短絡部１５の作動時刻を変更する際には、入力装置２０が用いられる。
そこで、この処理について図５を用いて説明する。図５は入力装置２０の処理部２５が認証カード１０の記憶部１２に記憶された作動時刻の情報を書き換える書換処理を示すフローチャートである。
【００５１】
この書換処理は、まず、Ｓ３１０にて、認証カード１０がカード読書部２３に保持されているか否かを監視する。認証カード１０がカード読書部２３に保持されていることを確認するとＳ３２０に移行し、認証カード１０がカード読書部２３に保持されていることを確認できないときにはＳ３１０を繰り返す。
【００５２】
そして、Ｓ３２０では、認証カード１０の記憶部１２に記憶されている識別情報を取得する。次いで、Ｓ３３０にて、この認証カード１０の暗証番号を要求する画像をタッチパネル式ディスプレイ２１に表示する。
【００５３】
そして、Ｓ３４０に移行し、Ｓ３４０では、管理対象者がタッチパネル式ディスプレイ２１を操作することにより、暗証番号が入力されたか否かを判定する。暗証番号が入力されていない場合には、Ｓ３４０の処理を繰り返す。また、暗証番号が入力された場合には、Ｓ３５０に移行し、この認証カード１０の識別情報と、この識別情報に対応する情報を要求する信号とを、通信部２７を介して総合管理装置５３に送信し、Ｓ３６０に移行する。
【００５４】
なお、総合管理装置５３では、入力装置２０から送信された認証カード１０の識別情報、およびその暗証番号を受信すると、これらの情報が、総合管理装置５３内に記憶された識別情報、およびその暗証番号と一致するか否かを判定する。これらの情報が一致する場合には、総合管理装置５３は、認証カード１０の識別情報に対応する情報を入力装置２０に対して送信し、これらの情報が一致しない場合には、エラーメッセージを入力装置２０に対して送信する。
【００５５】
そして、Ｓ３６０では、総合管理装置５３により送信された情報を受信したか否かを判定する。総合管理装置５３からの情報を受信していなければＳ３６０を繰り返す。また、認証カード１０の識別情報に対応する情報を受信するとＳ３７０に移行し、タッチパネル式ディスプレイ２１に総合管理装置５３から受信した情報を表示する。
【００５６】
次いで、Ｓ３８０では、タッチパネル式ディスプレイ２１に表示した情報に基づいて、管理対象者が出勤日および勤務時間帯等の情報を、タッチパネル式ディスプレイ２１を用いて入力したか否かを判定する。管理対象者が何らかの情報を入力していない場合にはＳ３８０を繰り返し、管理対象者が出勤日および勤務時間帯等の情報を入力した場合にはＳ４００に移行し、管理対象者がその他の情報を入力した場合には、Ｓ３９０に移行する。
【００５７】
Ｓ３９０では、入力された情報に対する処理を実行し、書換処理を終了する。
Ｓ４００では、入力された出勤日および勤務時間帯等の情報に基づいて、既に受信してる認証カード１０の識別情報に対応する情報を更新し、この結果を総合管理装置５３に送信し、Ｓ４１０に移行する。
【００５８】
なお、総合管理装置５３は、出勤日および勤務時間帯等の更新結果を受信すると、総合間襟装置５３内に記憶されている当該管理対象者の出勤日および勤務時間の情報を更新する。
【００５９】
次に、Ｓ４１０では、更新された認証カード１０の識別情報に基づいて、認証カード１０に記憶させる、短絡部１５の作動時刻を演算する。具体的には、例えば、作動時刻は、３日後まで（当日を含めて４日間）の出勤日および勤務時刻に基づいて、それぞれの日において、業務開始時刻の３０分前および業務終了時刻を「許可開始時刻」に設定し、業務開始時刻および業務終了時刻の３０分後を「許可終了時刻」に設定する。このため、この設定によれば、業務開始時刻の３０分前から業務開始時刻までの間、および業務終了時刻から業務終了時刻の３０分後までの間に、この管理対象者はゲート装置３０を通過できることになる。
【００６０】
そして、Ｓ４２０に移行し、Ｓ４２０では、Ｓ４１０の処理にて演算された４日分の作動時刻をカード読書部２３を介して認証カード１０に送信し、書換処理を終了する。
なお、認証カード１０の制御部１１は、通信部１７を介して短絡部１５の作動時刻の情報を受信すると、この情報を記憶部１２に記憶させる。
【００６１】
以上のように詳述した出退制限システム１においては、管理対象区域の出入口に位置し監視区域内に人がいるか否かを検知する赤外線センサ４３と、監視区域内に配置され、管理対象者が所持する認証カード１０を呼び出すための呼出信号を無線により送信し、この信号に対する応答信号を認証カード１０から受信する電波送受信部３１と、赤外線センサ４３が監視区域内に人がいることを検知しているときに、電波送受信部３１が認証カード１０から応答信号を受信できない場合には、不正侵入であることを検知し、この検知結果を出力する処理部２５と、を備えている。そして、認証カード１０は、予め設定された作動時刻までの時間を計時するタイマ１１ａと、作動時刻になると、管理対象区域への出退を許可するか否かの設定を切り替える短絡部１５と、短絡部１５により出退を許可するよう設定されているときに、電波送受信部３１より送信された呼出信号を受信した場合には、無線により応答信号を送信する共振部１６と、を有する構成にされている。
【００６２】
つまり、処理部２５は、監視区域内に人がいるときに認証カード１０からの応答信号を受信するか否かのみを判定し、この応答信号を送信するか否かは認証カード１０側にて作動時刻までの時間を計時することにより管理するよう構成されている。
【００６３】
従って、このような出退制限システム１によれば、システム全体としては個人の認証までは行なわないので、システムの構成を簡素化することができる。また、時間により応答信号を送信するか否かを決定するので、セキュリティレベルを維持することができる。
【００６４】
つまり、仮に管理対象者が認証カード１０を落としたとしても、この認証カード１０を拾得した者は、たまたま短絡部１５が出退を許可するよう設定しているときしか管理対象区域への入室ができないため、セキュリティレベルを向上できるのである。
【００６５】
また、個人情報を送受信することなく出退管理を行うことができるので、個人情報が盗聴されることを防止することができる。
さらに、出退を許可するか否かを切り替える時刻を設定可能に構成されているので、入場許可者の予定に合わせて管理対象区域への出退時刻を設定することができる。
【００６６】
また、出退制限システム１においては、監視区域外に配置され、作動時刻を外部入力するためのタッチパネル式ディスプレイ２１と、タッチパネル式ディスプレイ２１により入力された作動時刻を認証カード１０に送信するカード読書部２３とを備えている。そして、認証カード１０は、作動時刻を記憶する記憶部１２と、カード読書部２３から送信された作動時刻を受信し、作動時刻を記憶部１２に記憶させる制御部１１と、を備えている。
【００６７】
従って、このような出退制限システム１によれば、出退を許可しない設定になっているときに管理対象区域に入退場したいときや、短絡部１５が作動する作動時刻を変更したい場合に、タッチパネル式ディスプレイ２１を用いて、これらの設定を容易に変更することができる。
【００６８】
さらに、共振部１６は、特定周波数の電波を受信すると共振してこの反射波を送信し、電波送受信部３１は、呼出信号として特定周波数の電波を送信すると共に、共振部１６から送信される反射波を応答信号として認証カード１０から受信し、短絡部１５は、管理対象区域への出退を許可しないように設定するときに、共振部１６が特定周波数で共振できないよう構成されている。
【００６９】
従って、このような出退制限システム１によれば、共振部１６を共振部１６のみから構成することができるので、この共振部１６を構成するための部品点数を大幅に削減することができる。このため、認証カード１０を安価で製造することができる。
【００７０】
なお、本発明の実施の形態は、上記の実施形態に何ら限定されることはなく、本発明の技術的範囲に属する限り種々の形態を採りうる。
例えば、本実施例の出退制限システム１においては、人物の動きを、認証カード１０を介して監視することにより、許可者以外の出退を制限するよう構成したが、人物のみではなく物品の動きを認証カード１０に替わるタグを使用して管理するようにしてもよい。
【００７１】
この場合には、特定の物品を特定の時間内のみ搬入（搬出）することができるようになる。
また、本実施例の出退制限システム１においては、共振部１６が特定の共振周波数で共振しないようにするために短絡部１５を用いたが、特に構成に限定されるものではない。即ち、短絡部１５の代わりに、コンデンサが放電するまでの時間を充電量に基づいて設定し、このコンデンサが放電したときに設定を切り替えるよう構成してもよいし、ＩＣチップを内蔵しておき、外部からこのＩＣチップに対して特定の指令（例えば、温度や圧力等の周囲の状態）が入力された場合に、ＩＣチップが設定を切り替えるよう構成してもよい。このようにしても同様の効果が得られる。
【００７２】
加えて、本実施例の出退制限システム１においては、共振部１６を用いて特定周波数の電波に対する反射波を応答信号として送信するよう構成したが、例えば、共振部１６の代わりにアンテナとＩＣチップとを備えておき、これらを用いて特定周波数の電波を受信した際に、固有の応答信号を生成し、送信するよう構成してもよい。
【００７３】
また、呼出信号および応答信号は、電波に限らず、赤外線や音波等の波動を用いてもよい。
さらに、ゲート装置３０の送受信部３１は、共振周波数が異なる複数種類の認証カード１０（共振部１６）に対応するために、周波数が異なる複数種類の呼出信号を順次送信するよう構成してもよい。また、ゲート装置３０の送受信部３１が周波数の異なる複数種類の呼出信号を送信可能に構成されている場合には、ゲート装置３０付近に複数のスイッチを配置しておき、管理対象者が所持する認証カード１０に対する呼出信号の周波数を管理対象者自身が選択可能に構成してもよい。
【００７４】
さらに、本実施例の出退制限システム１においては、管理対象施設の出入口にて、ゲート装置３０の間を通過する人物が許可者であるか否かを判定し、許可者ではない場合には警報を発するよう構成したが、以下のように構成してもよい。
【００７５】
例えば、上記出退制限システム１に、自動扉を備えておき、この自動扉に接近する人物が許可者であるときのみに、自動扉を開くよう設定する。この構成の場合には、人物を検知する赤外線センサ４３は不要となる。
【００７６】
また、自動扉ではない扉を備えている場合には、この扉の位置を検知する位置センサ（位置検知手段）を備えておき、この扉に接近する人物が許可者であるときのみにこの扉を解錠する。また、認証カード１０が検知されなくなれば、扉が施錠位置にあるか否かを判定し、施錠位置にあれば扉を施錠する。扉が施錠位置にない場合には、所定時間後（３秒程度）に扉が施錠位置に戻らなければ警報を発する。
【００７７】
このようにしても、本実施例の出退制限システム１と同様の効果が得られる。
【図面の簡単な説明】
【００７８】
【図１】出退制限システム１の配置を示す説明図である。
【図２】出退制限システム１を示すブロック図である。
【図３】認証カード１０の制御部１１が行う出退許可切替処理を示すフローチャートである。
【図４】入力装置２０の処理部２５が実行する検知処理を示すフローチャートである。
【図５】認証カード１０の記憶部１２に記憶された作動時刻の情報を書き換える書換処理を示すフローチャートである。
【符号の説明】
【００７９】
１…出退制限システム、１０…認証カード、１１…制御部、１１ａ…タイマ、１２…記憶部、１３…電源部、１３ａ…ソーラーパネル、１５…短絡部、１６…共振部、１７…通信部、２０…入力装置、２１…タッチパネル式ディスプレイ、２３…カード読書部、２５…処理部、２７…通信部、３０…ゲート装置、３１…電波送受信部、３３…警報ランプ、３５…スピーカ、４１…カメラ、４３…赤外線センサ、５１…インターネット網、５３…総合管理装置。
【図１】
2006244226.tif 000003
【図２】
2006244226.tif 000004
【図３】
2006244226.tif 000005
【図４】
2006244226.tif 000006
【図５】
2006244226.tif 000007